(57)【要約】【課題】ＰＴＴ端末機に適切なデータ再転送方法を提供し、ＰＴＴ端末機においてデータの再転送要求を簡便に処理し得る方法を提供する。【解決手段】移動通信端末機のデータ再転送方法は、送信ＰＴＴ端末機から受信ＰＴＴ端末機にデータを転送する段階と、前記データを保存する段階と、前記データの再転送が必要である場合、前記保存されたデータを受信ＰＴＴ端末機に再転送する段階と、該再転送されているデータをユーザが認識し得るように出力する段階と、を含む。【選択図】図３
2006191631.tif 000002
【特許請求の範囲】
【請求項１】
ＰＴＴキーが押されたＰＴＴ端末機において入力されたデータを転送及び保存する段階と、
前記データの再転送が必要である場合、前記保存したデータを再転送する段階と、
を含むことを特徴とするデータ再転送方法。
【請求項２】
前記データは、音声データ又は映像データであり、バッファに保存されることを特徴とする請求項１に記載のデータ再転送方法。
【請求項３】
前記バッファは、前記ＰＴＴ端末機の内部メモリ又は外部メモリであることを特徴とする請求項２に記載のデータ再転送方法。
【請求項４】
前記再転送されているデータをユーザが認識し得るように出力する段階をさらに含むことを特徴とする請求項１に記載のデータ再転送方法。
【請求項５】
前記保存したデータは、前記ＰＴＴキーが再び押されたときに削除されることを特徴とする請求項１に記載のデータ再転送方法。
【請求項６】
前記ＰＴＴキーは、キーパッドのいずれか１つのキー又は該キーパッドとは別途の専用キーとして備えてあることを特徴とする請求項１に記載のデータ再転送方法。
【請求項７】
前記データの再転送が必要である場合は、受信側から受信失敗が通知されるか、又は、前記データの転送に対するＡＣＫ信号が所定時間内に返ってこない場合であることを特徴とする請求項１に記載のデータ再転送方法。
【請求項８】
前記受信失敗は、受信側のＰＴＴ端末機において制限時間内に前記データが受信されない場合、又は前記データは受信されたが聞き取りもしくは解読できない場合に該当することを特徴とする請求項７に記載のデータ再転送方法。
【請求項９】
前記受信失敗は、ＲＴＣＰ（Realtime Control Protocol）を介して転送されることを特徴とする請求項７に記載のデータ再転送方法。
【請求項１０】
ＰＴＴキーが押された送信ＰＴＴ端末機から受信ＰＴＴ端末機にデータを転送する段階と、
前記データを保存する段階と、
前記データの再転送が必要である場合、前記保存したデータを受信ＰＴＴ端末機に再転送する段階と、
前記再転送されるデータをユーザが認識し得るように出力する段階と、
を含むことを特徴とするデータ再転送方法。
【請求項１１】
送信ＰＴＴ端末機のユーザがデータ自動再転送機能を設定する段階をさらに含むことを特徴とする請求項１０に記載のデータ再転送方法。
【請求項１２】
前記データは、音声データ又は映像データであることを特徴とする請求項１０に記載のデータ再転送方法。
【請求項１３】
前記データの再転送が必要である場合は、受信ＰＴＴ端末機から受信失敗が通知されたときであることを特徴とする請求項１０に記載のデータ再転送方法。
【請求項１４】
前記受信失敗は、受信ＰＴＴ端末機において制限時間内に前記データが受信されない場合、又は前記データは受信されたが聞き取りもしくは解読できない場合に該当することを特徴とする請求項１３に記載のデータ再転送方法。
【請求項１５】
前記受信失敗は、ＲＴＣＰを介して転送されることを特徴とする請求項１３に記載のデータ再転送方法。
【請求項１６】
前記データの再転送が必要である場合は、前記転送したデータに対するＡＣＫ信号が所定時間内に返ってこない場合であることを特徴とする請求項１０に記載のデータ再転送方法。
【請求項１７】
前記保存したデータは、前記ＰＴＴキーが再度押されたときに削除されることを特徴とする請求項１０に記載のデータ再転送方法。
【請求項１８】
前記ＰＴＴキーは、キーパッドのいずれか１つのキー又は該キーパッドとは別途の専用キーとして備えてあることを特徴とする請求項１０に記載のデータ再転送方法。
【請求項１９】
前記データは、発信ＰＴＴ端末機の内部メモリ又は外部メモリに保存されることを特徴とする請求項１０に記載のデータ再転送方法。
【発明の詳細な説明】
【技術分野】
【０００１】
本発明は、移動通信（移動体通信）端末機に関し、特に、ＰＴＴ（Push to Talk）端末機におけるデータ再転送方法に関する。
【背景技術】
【０００２】
一般に、ＰＴＴ端末機は、所定のＰＴＴキーを押しながらトランシーバーのようにして相手と通話することのできるようにした端末機であり、ＰＴＴキーを押すことにより音声データを転送し、ＰＴＴキーを離すことにより音声データを受信したり待機状態に入る。ＰＴＴ端末機は、一対一及び一対多通信を行い、特に、半二重通信（half-duplex）を行う。このようなＰＴＴ端末機は、ＣＤＭＡ又はＧＳＭ（Global System for Mobile Communications）網を利用して音声データをパケットに分けて転送するもので、当該音声データはＶｏＩＰ（Voice over Internet Protocol）により目的地まで転送される。
【０００３】
図４は、従来のＰＴＴ端末機の概略的な構成図である。
【０００４】
図４に示すように、従来のＰＴＴ端末機は、無線通信を行うＲＦ部１０と、全般的な制御動作を行うＭＰＵ（Microprocessor Unit）１１と、コーデック（Codec）１２と、スピーカと、マイクとを備えている。コーデック１２は、マイクから入力されたアナログ音声信号をデジタル音声信号に変換してＭＰＵ１１に出力し、ＭＰＵ１１から受信されたデジタル音声信号をアナログ音声信号に変換してスピーカに出力する。
【０００５】
以下、このように構成されたＰＴＴ端末機の動作を説明する。
【０００６】
まず、ユーザ（送信者）がＰＴＴキーを押すことで基地局から発言権が与えられると、当該ユーザは送信ＰＴＴ端末機のマイクを介して音声を入力することができる。この入力された音声信号は、コーデック１２によりデジタル信号に変換された後、ＭＰＵ１１で適切な転送フォーマットに変換される。無線部１０は、ＭＰＵ１１で変換されたデジタル信号を送信し、当該送信ＰＴＴ端末機の無線部１０から送信された無線信号（オーディオデータ）が交換網で転送され、受信ＰＴＴ端末機が処理してスピーカを介し音声データとして再生する。
【発明の開示】
【発明が解決しようとする課題】
【０００７】
従来のシステムでは、無線信号の受信感度低下又は基地局の送受信問題などにより、送信されたオーディオデータが受信側まで転送されない場合（送信された音声データの遺失）、受信ＰＴＴ端末機は送信ＰＴＴ端末機に、遺失した音声データの再転送を要求する。この場合、送信側では、その遺失した音声データを再転送するために、マイクに音声データを再入力する必要がある。この受信側の音声データ遺失が続く場合、送信側は、再転送過程を繰り返し行わなければならないという不都合な点があった。
【０００８】
そこで、本発明の目的は、ＰＴＴ端末機に適切なデータ再転送方法を提供することにある。また、本発明の他の目的は、ＰＴＴ端末機においてデータの再転送要求を簡便に処理し得る方法を提供することにある。
【課題を解決するための手段】
【０００９】
このような目的を達成するために、本発明に係る移動通信端末機のデータ再転送方法は、ＰＴＴキーが押されたＰＴＴ端末機において入力されたデータを転送及び保存する段階と、該データの再転送が必要である場合に、前記保存したデータを再転送する段階と、を含むことを特徴とする。あるいは、ＰＴＴキーが押された送信ＰＴＴ端末機から受信ＰＴＴ端末機にデータを転送する段階と、前記データを保存する段階と、前記データの再転送が必要である場合、前記保存したデータを受信ＰＴＴ端末機に再転送する段階と、前記再転送されたデータをユーザが認識し得るように出力する段階とを含むことを特徴とする。
【００１０】
この方法においては、送信ＰＴＴ端末機のユーザがデータ自動再転送機能を設定する段階をさらに含むことができる。好ましくは、前記データは、音声データ又は映像データである。好ましくは、前記データの再転送が必要である場合は、受信ＰＴＴ端末機から受信失敗が通知されたとき、又は、転送したデータに対するＡＣＫ信号が所定時間内に返ってこない場合である。好ましくは、その受信失敗は、ＲＴＣＰを介して転送される。
【００１１】
好ましくは、前記保存したデータは、ＰＴＴキーが再び押されたときに削除されるようにする。好ましくは、当該データは、発信ＰＴＴ端末機の内部メモリ又は外部メモリに保存されるようにする。
【００１２】
ＰＴＴを行うためのＰＴＴキーは、既存の一般的なキーパッドのいずれか１つのキーとするか又は該キーパッドとは別の専用キーとして備えることができる。
【発明の効果】
【００１３】
本発明は、転送を行った音声データをバッファに一時保存し、相手が再転送を要求する場合にそのバッファに保存された音声データを再転送及び再生することにより、ユーザの不便を低減し、再転送要求を迅速に処理し得るという効果がある。
【発明を実施するための最良の形態】
【００１４】
以下、本発明の好ましい実施形態を図面に基づいて詳細に説明する。
【００１５】
一般に、ＰＴＴ端末機からデータを送信するためにはＰＴＴキーを押し、データを受信するためにはＰＴＴキーを離す。本発明は、ＰＴＴキーを押してから転送されるデータを一時保存することで、データの再転送要求又は再生要求に適切に対処し得る方法を提案する。好ましくは、当該データは、音声又は映像データである。
【００１６】
図１は、ＰＴｘ（push to communication）通信網で送受信されるデータの状態図である。
【００１７】
図１に示すように、ＲＴＰ（Realtime Transport Protocol）を介して送信ＰＴｘ端末機（ＴｘＴ）と受信ＰＴｘ端末機（ＲｘＴ）との間にＰＴｘ通信セッションが設定される。このＲＴＰは、音声及び映像のリアルタイム転送をサポートするインターネットプロトコル（ＩＰ）であり、ＩＰ電話通信（telephony）や音声及びビデオストリーミングに幅広く適用される。ＲＴＰパケットは、最上位のＵＤＰ（User Datagram Protocol）上で転送され、受信端において適切に再組立し得るように、ヘッダ内に時間サンプリング及び同期化情報を含む。
【００１８】
送信ＰＴｘ端末機は、ＲＴＣＰを介して発言権要求（すなわち、「talk bust authority」のための要求；Req.Auth）を転送し、該要求は、発言権要求を承認し得るＰｏＣ（Push to talk of Cellular）サーバにより受信される。この要求が承認されると、「talk burst grant」（Req.Granted）がＲＴＣＰを介して送信ＰＴｘ端末機に転送される。受信ＰＴｘ端末機には、発言権要求の承認（Req.Granted）が通知され、送信ＰＴｘ端末機から転送されるオーディオデータの受信を待つ。
【００１９】
所定のＰＴｘ端末機が発言権を有すると、当該端末機が送信側となって、スピーカなどによりオーディオデータを入力することができるようになり、これにより入力されたオーディオデータは、ＰｏＣサーバを経由してＲＴＰを介し受信ＰＴｘ端末機に転送される。
【００２０】
制限時間が経過するまでにオーディオデータが受信されない場合（データの遺失）、受信ＰＴｘ端末機は、受信失敗通知（例えば、ＮＡＣＫ）をＲＴＣＰを介して送信ＰＴｘ端末機に転送する。この受信失敗通知を受信した送信ＰＴｘ端末機は、遺失データを受信ＰＴｘ端末機に再転送する。
【００２１】
図２は、本発明に係るＰＴＴ端末機の概略的な構成図である。
【００２２】
図２に示すように、本発明に係るＰＴＴ端末機は、図４に示した従来のＰＴＴ端末機に加えて、バッファ１３をさらに含む。ここで、従来と同一の構成要素には同一の符号を付ける。
【００２３】
バッファ１３は、コーデック１２に接続され、ＰＴＴ端末機の内部メモリ又は外部メモリである。バッファ１３は、ＰＴＴキーを押してユーザが発言権を取得した場合にデータを記憶し、その次に再度ＰＴＴキーが押されるまで一時的に保存する役割を果たす。ＰＴＴキーは、既存のキーパッドのいずれか１つのキーを任意に選択して使用することもできるし、あるいは、既存キーパッドとは別途に専用キーとして備えることもできる。好ましくは、ＰＴＴ端末機は、ＣＤＭＡ、ＧＳＭ及びＷＣＤＭＡなど全てに適用される。
【００２４】
以下、このように構成されたＰＴＴ端末機におけるデータ再転送方法を説明する。
【００２５】
図３は、本発明の一実施形態による移動通信端末機の音声データ再転送方法を示すフローチャートである。
【００２６】
図３を参照すると、ユーザは、ＰＴＴ端末機のメニューから音声自動再転送機能を設定する（Ｓ１０）。
【００２７】
ユーザ（送信者）がＰＴＴキーを押して基地局から発言権が与えられると、当該ユーザは、送信ＰＴＴ端末機のマイクを介して音声を入力することができる。入力された音声信号は、コーデック１２でデジタル信号に変換され、該変換されたデジタル音声信号は、ＭＰＵ１１で転送フォーマットに変換された後、無線部１０から送信されて受信ＰＴＴ端末機へ転送されると共に（Ｓ１１）、バッファ１３に保存される（Ｓ１２）。ここで、バッファ１３に保存されたデジタル音声信号は、ユーザが再び発言権を取得するためにＰＴＴキーを再度押す場合に削除される。
【００２８】
続いて送信ＰＴＴ端末機は、音声データの再転送が必要であるか否かを判断し（Ｓ１３）、再転送が必要である場合は、前記保存されたデジタル音声信号を受信ＰＴＴ端末機に再転送する（Ｓ１４）。一方、再転送が必要でない場合は、次の音声データを転送する（Ｓ１５）。好ましくは、その音声データの再転送が必要である場合は、受信側から受信失敗が通知される場合であり得る。
【００２９】
すなわち、無線信号の受信感度低下又は基地局の送受信問題などで、受信側までオーディオデータが転送されない場合（転送された音声データの遺失）、受信ＰＴＴ端末機は、送信ＰＴＴ端末機に対し、遺失した音声データの再転送を要求する。たとえば、受信側が発言権を取得し、音声データの再転送要求のための特定キーを操作することで、受信ＰＴＴ端末機から自動で発信ＰＴＴ端末機へ再転送メッセージ（例えば、受信失敗通知）が転送される。
【００３０】
さらに例をあげると、制限時間が経過するまでに音声データが転送されてこないと（データの遺失が発生する）、受信ＰＴＴ端末機は、ＲＴＣＰを介して送信ＰＴＴ端末機に受信失敗通知を転送する。受信の失敗は、転送途中に音声データが遺失した場合だけでなく、音声データは受信されたがノイズ又は他の転送問題などにより聞き取り又は解読できない場合も該当する。
【００３１】
受信失敗通知が送られてくると、送信ＰＴＴ端末機は、バッファ１３に保存された音声データをＭＰＵ１１と無線部１０を介して再転送すると共に、ユーザに聞こえるようにスピーカに出力する。従って、受信側は送信ＰＴＴ端末機から再転送された音声データを受信することができ、ユーザは、現在再転送されている音声データをスピーカから聞くことができる。
【００３２】
音声データの再転送が必要である場合とは、受信ＰＴＴ端末機から受信失敗通知を受信したときに限定されず、送信ＰＴＴ端末機が、受信ＰＴＴ端末機へ転送した音声データに対するＡＣＫ信号を所定時間内に受信できなかったとき等も含まれる。この場合の送信ＰＴＴ端末機は、ＡＣＫ信号が所定時間内に返ってこなかった場合、該当音声データを再転送する。
【００３３】
上記の実施形態では、説明の便宜上、音声データを例に挙げて説明してきたが、映像データにも同様に適用できることは明らかである。すなわち、再転送が必要である場合は、一時保存された映像データを転送すると共に、ユーザが認識し得るように画面に表示する。
【図面の簡単な説明】
【００３４】
【図１】ＰＴｘ通信網で交換されるデータの状態図である。
【図２】本発明の実施形態によるＰＴＴ端末機の構成図である。
【図３】本発明の実施形態による移動通信端末機の音声データ再転送方法を示すフローチャートである。
【図４】従来のＰＴＴ端末機の構成図である。
【符号の説明】
【００３５】
１０  無線部
１１  ＭＰＵ
１２  コーデック
１３  バッファ
【図１】
2006191631.tif 000003
【図２】
2006191631.tif 000004
【図３】
2006191631.tif 000005
【図４】
2006191631.tif 000006